(57)【要約】【課題】照明部を設ける位置の自由度を高めることができるカバー部材、意匠パネル、電子機器および電子機器の製造方法を提供する。【解決手段】意匠パネル２の意匠面側におもて面を向けて組み付けられて、光を透過するカバー本体部３ａと、カバー本体部３ａのおもて面上に設けられ、カバー本体部３ａを透過した光を遮光する非透光層８と、カバー本体部３ａが露出するまで非透光層８の一部が除去されている照明部７ａ〜７ｃとを備える。【選択図】図２
2018182186.tif 000002
【特許請求の範囲】
【請求項１】
意匠パネルの意匠面側におもて面を向けて組み付けられて、光を透過するカバー本体部と、
前記カバー本体部のおもて面上に設けられ、前記カバー本体部を透過した光を遮光する非透光層と、
前記カバー本体部が露出するまで前記非透光層の一部が除去されている照明部と
を備えたことを特徴とするカバー部材。
【請求項２】
前記照明部は、少なくとも前記カバー本体部のおもて面側の外形端部またはおもて面上で構造が変化する境目の部分に設けられること
を特徴とする請求項１記載のカバー部材。
【請求項３】
前記カバー本体部の裏面に設けられ、前記カバー本体部を意匠パネルに組み付ける組み付け部材を備えたこと
を特徴とする請求項１または請求項２記載のカバー部材。
【請求項４】
前記カバー本体部の裏面に設けられ、意匠パネルとの間に操作部材を保持する保持部材を備えたこと
を特徴とする請求項３記載のカバー部材。
【請求項５】
請求項１から請求項４のうちのいずれか１項記載のカバー部材を備えたこと
を特徴とする意匠パネル。
【請求項６】
前記カバー本体部の周縁部から外部に向かう光を遮光する遮光壁を備えたこと
を特徴とする請求項５記載の意匠パネル。
【請求項７】
請求項５または請求項６記載の意匠パネルを備えたこと
を特徴とする電子機器。
【請求項８】
請求項７記載の電子機器の製造方法であって、
非透光性の材料を前記カバー本体部のおもて面上に塗装することにより前記非透光層を形成するステップと、
前記カバー本体部が露出するまでレーザ光で前記非透光層の一部を除去することにより前記照明部を形成するステップと
を備えたことを特徴とする電子機器の製造方法。
【発明の詳細な説明】
【技術分野】
【０００１】
この発明は、電子機器の意匠の一部を構成するカバー部材、意匠パネル、電子機器および電子機器の製造方法に関する。
【背景技術】
【０００２】
意匠パネルを照明する構造として、例えば、光らせる部分に導光体部品を嵌め込む構造がある。ただし、この構造は、意匠パネルとは別の部品である導光体部品を用意する必要があり、部品点数が増加する。また、導光体部品の寸法のばらつきを考慮して意匠パネルと導光体部品との間にクリアランスを設ける必要があるため、クリアランスによって意匠性の低下を招く場合がある。
【０００３】
一方、特許文献１には、導光体部品を用いない照明部を有した表示パネルが記載されている。特許文献１に記載の表示パネルは、透光性の材料で構成されており、空気調和機の意匠面側におもて面を向けて前面パネルに組み付けられる。
また、表示パネルの裏面には、ハーフミラー膜が施され、さらに光を透過させる照明部を残して不透明膜が施されている。光源から照射された光は、不透明膜で遮光され、照明部から意匠側に照射される。
なお、不透明膜は、蒸着またはスパッタリングによる成膜あるいは不透明シールの貼り付けによって表示パネルの裏面に形成される。
【先行技術文献】
【特許文献】
【０００４】
【特許文献１】特開２００２−２２８１８３号公報
【発明の概要】
【発明が解決しようとする課題】
【０００５】
特許文献１に記載の表示パネルのように、おもて面を意匠面側に向けて組み付けられるカバー部材では、ねじ締め用のボスまたは嵌合爪といった組み付け用の構造部が裏面側に設けられる場合が多い。
しかしながら、このような構造部によって裏面側に凹凸が形成されると、比較的平らな領域では不透明膜が均一に形成されるが、凹凸がある領域では不透明膜の成膜ムラまたは不透明シールの貼り付け不良が起こりやすい。このため、従来では、不透明膜を設ける面をできるだけ平らにする必要があった。
【０００６】
また、意匠性の観点から、照明部は、不透明膜によって良好に遮光された領域に設ける必要がある。このため、凹凸を含む面では、照明部が比較的平らな領域のみに形成されることになり、照明部を設ける位置の自由度が大きく制限される。
例えば、すり鉢状に凹んでいる部分には不透明膜を良好に形成できないので、照明部も適切に形成できない。
【０００７】
この発明は上記課題を解決するものであり、照明部を設ける位置の自由度を高めることができるカバー部材、意匠パネル、電子機器および電子機器の製造方法を得ることを目的とする。
【課題を解決するための手段】
【０００８】
この発明に係るカバー部材は、意匠パネルの意匠面側におもて面を向けて組み付けられて、光を透過するカバー本体部と、カバー本体部のおもて面上に設けられ、カバー本体部を透過した光を遮光する非透光層と、カバー本体部が露出するまで非透光層の一部が除去されている照明部とを備える。
【発明の効果】
【０００９】
この発明によれば、カバー本体部のおもて面に設けた非透光層の一部を除去して照明部が形成されるので、おもて面の表面状態によらず照明部を形成することができる。これにより、照明部を設ける位置の自由度を高めることができる。
【図面の簡単な説明】
【００１０】
【図１】この発明の実施の形態１に係る電子機器の要部を示す分解斜視図である。
【図２】図２Ａは、実施の形態１に係るカバー部材のおもて面側の外観を示す斜視図である。図２Ｂは、実施の形態１に係るカバー部材の裏面側の外観を示す斜視図である。
【図３】実施の形態１に係るカバー部材を、図２ＡのＡ−Ａ線に沿って切った断面状態を示す断面矢示図である。
【図４】図４Ａは、図２Ａの領域Ｂを示す拡大斜視図である。図４Ｂは、実施の形態１に係るカバー部材を、図４ＡのＣ−Ｃ線に沿って切った断面状態を示す断面矢示図である。
【図５】実施の形態１に係る電子機器の外観を示す正面図である。
【図６】実施の形態１に係る電子機器を、図５のＤ−Ｄ線に沿って切った断面状態を示す断面矢示図である。
【図７】実施の形態１に係る電子機器を、図５のＥ−Ｅ線に沿って切った断面状態を示す断面矢示図である。
【図８】図８Ａは、図７の領域Ｆを示す拡大断面図である。図８Ｂは、図８Ａの領域Ｇを示す拡大断面図である。
【発明を実施するための形態】
【００１１】
実施の形態１．
図１は、この発明の実施の形態１に係る電子機器１の要部を示す分解斜視図であって、電子機器１が車載用のディスク再生装置である場合を示している。図２Ａは、カバー部材３のおもて面側の外観を示す斜視図である。図２Ｂは、カバー部材３の裏面側の外観を示す斜視図である。電子機器１は、図１に示すように、意匠パネル２およびカバー部材３を備える。
【００１２】
意匠パネル２は、電子機器１の意匠面を構成するパネルであり、一部がベース部２ａになっている。ベース部２ａは、意匠パネル２において操作部材を配置する部分であって、貫通穴２ｂ、貫通穴２ｃ、嵌合穴２ｄおよび貫通穴２ｅを有する。操作部材には、例えばボタン部４がある。
【００１３】
貫通穴２ｂは、ベース部２ａを貫通する長方形状の穴であり、その長手方向に沿って、複数のボタン部４が配置される。図１では、４つのボタン部４が貫通穴２ｂに配置された場合を例示している。貫通穴２ｂに配置されたボタン部４の裏面側は基板５に対向する。基板５には、図示しないスイッチと光源６が実装されており、ボタン面を押下操作されたボタン部４によって上記スイッチが押圧される。
【００１４】
カバー部材３は、透光性の材料によって構成された板状のカバー本体部３ａを有する。ここで、透光性とは、光源６から照射された光を意匠側から視認できる程度の光透過率を有することをいう。カバー本体部３ａは、図１に示すように、意匠パネル２の意匠面側におもて面を向けてベース部２ａに組み付けられる。電子機器１の意匠面は、意匠パネル２およびカバー本体部３ａのおもて面によって構成される。
【００１５】
また、カバー本体部３ａは、貫通穴３ｂ、貫通穴３ｂ−１および貫通穴３ｃを有する。カバー本体部３ａが意匠パネル２に組み付けられた状態で、貫通穴３ｂは、ベース部２ａの貫通穴２ｅに対向する。ディスクは、この貫通穴３ｂと貫通穴２ｅを通って電子機器１の内外に挿排される。貫通穴３ｂ−１には、図示しない操作ノブが取り付けられる。
ボタン部４のボタン面は、カバー本体部３ａが意匠パネル２に組み付けられた状態で、貫通穴３ｃから意匠側に露出する。
【００１６】
カバー本体部３ａのおもて面には、図２Ａに示すように、照明部７ａ〜７ｃが形成されており、裏面側には、図２Ｂに示すように、リブ３ｄ、ボス３ｅおよび嵌合爪３ｆが形成されている。リブ３ｄは、ベース部２ａとの間にボタン部４を保持する保持部材である。
【００１７】
ボス３ｅと嵌合爪３ｆは、カバー本体部３ａを意匠パネル２に組み付ける組み付け部材である。嵌合爪３ｆは、カバー本体部３ａをベース部２ａに組み付けたときに嵌合穴２ｄに挿入されて先端の爪部が嵌合穴２ｄの開口周縁部に引っ掛け係合する。また、ボス３ｅのねじ穴には、嵌合爪３ｆが嵌合穴２ｄに引っ掛け係合した状態で、ベース部２ａの貫通穴２ｃを通したねじが締結される。
【００１８】
図３は、カバー部材３を、図２ＡのＡ−Ａ線に沿って切った断面状態を示す断面矢示図である。また、図４Ａは、図２Ａの領域Ｂを示す拡大斜視図である。図４Ｂは、カバー部材３を、図４ＡのＣ−Ｃ線に沿って切った断面状態を示す断面矢示図である。
リブ３ｄは、図３に示すように、ボタン部４から延伸した舌片４ａをベース部２ａ側に押圧する。これにより、ボタン部４は、リブ３ｄとベース部２ａとの間に舌片４ａが挟み込まれて保持される。舌片４ａは、ボタン部４から片持ち梁状に延びており、ボタン部４の押下方向に弾性変形可能となっている。
【００１９】
カバー本体部３ａのおもて面上には、図３に示す非透光層８が形成されている。
非透光層８は、非透光性の材料で構成された皮膜であり、光源６から照射されてカバー本体部３ａを透過した光を遮光する。すなわち、非透光性とは、カバー本体部３ａを透過した光が意匠側から視認できない程度に低い光透過率を有することをいう。
非透光層８は、カバー本体部３ａのおもて面上に非透光性の塗料を塗装することにより形成される。例えば、黒色などの暗色の塗料を用いたスプレー塗装が考えられる。
【００２０】
照明部７ａ〜７ｃは、カバー本体部３ａが露出するまで非透光層８の一部が除去された凹部である。光源６から照射されてカバー本体部３ａを透過した光は、照明部７ａ〜７ｃから意匠側に照射される。
【００２１】
例えば、照明部７ａ〜７ｃは、レーザ光で非透光層８の一部を除去することにより形成される。レーザ加工では、導光体部品を用いる照明構造と異なって導光部品の周囲にクリアランスを設ける必要がなく、光らせたい部分のみに照明部を形成することができる。
また、おもて面の一部が曲面であるか、あるいはすり鉢状に凹んでいても、対象部分の非透光層８を除去することで照明部を形成することが可能である。このように、カバー部材３では、おもて面側の自由な位置に照明部を形成することができる。
【００２２】
例えば、図３に示すように操作ノブ９の幅ａよりも若干大きい径を有する照明部７ｃを導光体部品で実現する場合、導光体部品の寸法のばらつきを考慮してカバー本体部３ａと導光体部品との間にクリアランスを設ける必要がある。このため、照明部とカバー本体部３ａのおもて面の外形端部との間の距離ｂを大きく設定しなければならず、おもて面側の外形端部の位置に照明部を設けることができなかった。
【００２３】
これに対して、実施の形態１に係るカバー部材３では、おもて面に設けた非透光層８の一部を除去するだけで照明部７ｃを形成できる。このため、上記距離ｂを小さく設定した位置、すなわち、おもて面の外形端部の位置にも照明部７ｃを設けることができる。
【００２４】
図４Ａおよび図４Ｂに示す傾斜部３ｂ−２は、カバー本体部３ａのおもて面の表面から貫通穴３ｂに傾斜しており、照明部７ａは、おもて面の構造が平坦な部分から凹んだ部分に変化する途中にある。ここで、カバー本体部３ａのおもて面の表面から傾斜部３ｂ−２が開始される稜線部分は、いわゆる“きわ”の部分に相当し、おもて面上で構造が変化する境目の部分である。導光体部品を嵌め込む構造では、前述したように実際の導光体部品の寸法より大きな嵌め込み穴を設ける必要がある。このため、“きわ”の部分の形状を維持しながら、導光体部品を設けることが困難であった。
【００２５】
これに対して、実施の形態１に係るカバー部材３では、おもて面に設けた非透光層８の一部を除去するだけで照明部を形成することができるので、“きわ”の部分の形状を維持しながら照明部７ａを設けることができる。すなわち、おもて面上で構造が変化する境目の部分に照明部を設けることが可能である。
【００２６】
図５は、電子機器１の外観を示す正面図である。図６は、電子機器１を、図５のＤ−Ｄ線に沿って切った断面状態を示す断面矢示図である。図７は、電子機器１を、図５のＥ−Ｅ線に沿って切った断面状態を示す断面矢示図である。また、図８Ａは、図７の領域Ｆを示す拡大断面図である。図８Ｂは、図８Ａの領域Ｇを示す拡大断面図である。
【００２７】
意匠パネル２にカバー部材３を組み付けると、嵌合爪３ｆは、図６に示すように、嵌合穴２ｄに挿入されて先端の爪部が嵌合穴２ｄの開口周縁部に引っ掛け係合する。
また、嵌合爪３ｆが嵌合穴２ｄに引っ掛け係合した状態で、ベース部２ａの貫通穴２ｃを通したねじ１０が、ボス３ｅのねじ穴に締結される。このとき、ボタン部４のボタン面は、図５に示すように貫通穴３ｃから意匠側に露出する。
【００２８】
図２Ｂに示したように、ボス３ｅおよび嵌合爪３ｆは、カバー本体部３ａの裏面側の長手方向の上下端辺に沿って配置されているが、カバー本体部３ａの両側方の端部には配置されていない。このため、ベース部２ａにカバー本体部３ａが組み付けられると、カバー本体部３ａの両側方の端部とベース部２ａとの間に隙間が生じることがある。
光源６から照射された光は、この隙間から外部に漏れるので、実施の形態１に係る意匠パネル２には、図７に示すような遮光壁２ｆを設けている。
【００２９】
遮光壁２ｆは、図８Ａに示すように、ベース部２ａの両側方の端辺から意匠側に延びており、図８Ｂに示すように、ベース部２ａにカバー本体部３ａが組み付けられた状態で、カバー本体部３ａの裏面に接触する。光源６から照射されてカバー本体部３ａの側方端部に向かった光は、遮光壁２ｆによって遮光される。これにより、光漏れを確実に防止することができる。
【００３０】
なお、カバー本体部３ａの側方端部とベース部２ａとの間に生じた隙間からの光漏れを防止する遮光壁２ｆを示したが、カバー本体部３ａの長手方向に沿った上下端部とベース部２ａとの間に隙間が生じる場合は、ベース部２ａの上下の両端部に遮光壁２ｆを設けてもよい。すなわち、遮光壁２ｆは、カバー本体部３ａの周縁部から外部に向かう光を遮光する壁部であればよい。
【００３１】
以上のように、実施の形態１に係るカバー部材３は、意匠パネル２の意匠面側におもて面を向けて組み付けられて、光を透過するカバー本体部３ａと、カバー本体部３ａのおもて面上に設けられ、カバー本体部３ａを透過した光を遮光する非透光層８と、カバー本体部３ａが露出するまで非透光層８の一部が除去されている照明部７ａ〜７ｃとを備える。このようにカバー本体部３ａのおもて面に設けた非透光層８の一部を除去して照明部７ａ〜７ｃが形成されるので、おもて面の表面状態によらず照明部７ａ〜７ｃを形成することができる。これにより、照明部７ａ〜７ｃを設ける位置の自由度を高めることができる。
【００３２】
また、実施の形態１に係るカバー部材３において、照明部７ａ〜７ｃは、少なくとも、カバー本体部３ａのおもて面側の外形端部またはおもて面上で構造が変化する境目の部分に設けられる。このように従来は困難であった上記部分に照明部を設けることで、カバー部材３の意匠性が向上する。
【００３３】
さらに、実施の形態１に係るカバー部材３は、ボス３ｅおよび嵌合爪３ｆを裏面に備えている。カバー本体部３ａは、ボス３ｅおよび嵌合爪３ｆによって意匠パネル２のベース部２ａに組み付けられる。このように構成することにより、意匠パネル２にカバー部材３を組み付けることができる。
【００３４】
さらに、実施の形態１に係るカバー部材３は、さらにリブ３ｄを裏面に備える。ボタン部４は、リブ３ｄとベース部２ａとの間に舌片４ａが挟み込まれて保持される。
このように構成することにより、新たな部品を追加することなく、ボタン部４を保持することができる。
【００３５】
さらに、実施の形態１に係る意匠パネル２は、カバー部材３を備えるので、上記と同様の効果を得ることができる。
【００３６】
さらに、実施の形態１に係る意匠パネル２は、カバー本体部３ａの周縁部から外部に向かう光を遮光する遮光壁２ｆを備える。この構成を備えることで、カバー本体部３ａの周縁部からの光漏れを防止することができる。
【００３７】
さらに、実施の形態１に係る電子機器１は、意匠パネル２を備えるので、上記と同様の効果を得ることができる。
【００３８】
さらに、実施の形態１に係る電子機器１の製造方法は、非透光性の材料をカバー本体部３ａのおもて面上に塗装することにより非透光層８を形成するステップと、カバー本体部３ａが露出するまでレーザ光で非透光層８の一部を除去することにより照明部７ａ〜７ｃを形成するステップとを備える。これにより、上記と同様の効果が得られる意匠パネル２およびカバー部材３を有した電子機器１を得ることができる。
【００３９】
なお、本発明はその発明の範囲内において、実施の形態の任意の構成要素の変形、もしくは実施の形態の任意の構成要素の省略が可能である。
【符号の説明】
【００４０】
１  電子機器、２  意匠パネル、２ａ  ベース部、２ｂ，２ｃ，２ｅ，３ｂ，３ｂ−１，３ｃ  貫通穴、２ｄ  嵌合穴、２ｆ  遮光壁、３  カバー部材、３ａ  カバー本体部、３ｂ−２  傾斜部、３ｄ  リブ、３ｅ  ボス、３ｆ  嵌合爪、４  ボタン部、４ａ  舌片、５  基板、６  光源、７ａ〜７ｃ  照明部、８  非透光層、９  操作ノブ、１０  ねじ。
【図１】
2018182186.tif 000003
【図２】
2018182186.tif 000004
【図３】
2018182186.tif 000005
【図４】
2018182186.tif 000006
【図５】
2018182186.tif 000007
【図６】
2018182186.tif 000008
【図７】
2018182186.tif 000009
【図８】
2018182186.tif 000010